(57)【特許請求の範囲】
【請求項１】
家具枠体（２）に固定される枠体レール（５）、引出し（３）に固定される引出しレール（７）、および前記引出しレール（７）に対して前記引出し（３）の高さ位置を調節するための調節装置（１６）を備えた引出し用の引き出しガイド（４）であって、
前記調節装置（１６）は、前記引出し（３）の高さ位置の調節のためにガイド経路（１８）に沿って限定的に可動に取り付けられた移動部分（１９）を有しており、
前記ガイド経路（１８）は、前記引出しレール（７）の肢部（７ｂ）内の開口部の形態であり、
前記肢部は、使用位置において垂直に延出しており、
前記ガイド経路（１８）は、水平に対して傾斜して延出していることを特徴とする引出し用の引き出しガイド。
【請求項２】
前記ガイド経路（１８）は、前記引出しレール（７）に打ち抜きされるか、または削り出しされることを特徴とする請求項１記載の引出し用の引き出しガイド。
【請求項３】
前記ガイド経路（１８）は、引出しレール（７）の前端領域に提供されていることを特徴とする請求項１または２記載の引出し用の引き出しガイド。
【請求項４】
前記ガイド経路（１８）は、その一端に、前記引出しレール（７）に取り付けられるように該引出しレール（７）の側方から、前記移動部分（１９）が挿入可能である幅広部分（１８ａ）を有していることを特徴とする請求項１から３のいずれかに記載の引出し用の引き出しガイド。
【請求項５】
前記移動部分（１９）は、前記引出しレール（７）に対して２以上の所定のラッチ位置にて解放可能に拘束可能であることを特徴とする請求項１から４のいずれかに記載の引出し用の引き出しガイド。
【請求項６】
前記ラッチ位置を提供するために利用されるラッチ手段（２３、２５）は、前記ガイド経路（１８）から離れて前記引出しレール（７）上に形成されていることを特徴とする請求項５記載の引出し用の引き出しガイド。
【請求項７】
前記ラッチ手段（２３、２５）は、使用位置において垂直に延出している前記引出しレール（７）の肢部（７ｂ）および／または使用位置において水平に延出している前記引出しレール（７）の肢部（７ａ）に形成されていることを特徴とする請求項６記載の引出し用の引き出しガイド。
【請求項８】
前記ラッチ手段（２３、２５）は、前記引出しレール（７）への刻み加工、エンボス加
工および／または突出部形成によって形成されていることを特徴とする請求項６または７
記載の引出し用の引き出しガイド。
【請求項９】
前記移動部分（１９）は、前記ラッチ手段（２３、２５）に解放可能にラッチ留めできる少なくとも１つのラッチ部分（２２）を有していることを特徴とする請求項６から８のいずれかに記載の引出し用の引き出しガイド。
【請求項１０】
前記移動部分（１９）は、少なくとも１つのラッチ部分（２２）を前記ラッチ手段（２３、２５）から解除できる少なくとも１つの把持部分（２０）を有していることを特徴とする請求項９記載の引出し用の引き出しガイド。
【請求項１１】
前記把持部分（２０）は、２部分構造であり、第１の把持部分（２０ａ）は、第１の移動方向で前記移動部分（１９）を移動させるように設計されており、ラッチ部分（２２）に接続された第２の把持部分（２０ｂ）は、前記第１の移動の方向とは反対である第２の移動方向でラッチ位置から前記移動部分（１９）を解放するように設計されていることを特徴とする請求項１０記載の引出し用の引き出しガイド。
【請求項１２】
前記移動部分（１９）は、前記引出し（３）の高さ位置を固定するよう、使用位置においてその上側が、前記引出し（３）の下側に接する支持部分（１７）を有していることを特徴とする請求項７に記載の引出し用の引き出しガイド。
【請求項１３】
前記支持部分（１７）は、使用位置において前記引出しレール（７）の傾斜した下方延出部分（２４）に接する下側を有することを特徴とする請求項１２記載の引出し用の引き出しガイド。
【請求項１４】
前記支持部分（１７）は、前記引出しレール（７）の水平に延出する前記肢部（７ａ）内の開口部（２１）内に配置されていることを特徴とする請求項１２または１３に記載の引出し用の引き出しガイド。
【請求項１５】
前記移動部分（１９）は、プラスチック製で一体型に形成されていることを特徴とする請求項１から１４のいずれかに記載の引出し用の引き出しガイド。
【請求項１６】
前記支持部分（１７）は、略楔型の断面形状を有することを特徴とする請求項１２から１４のいずれかに記載の引出し用の引き出しガイド。
【請求項１７】
請求項１から１６のいずれかに記載の引出し用の引き出しガイドを少なくとも１つ有する家具。
【発明の詳細な説明】
【技術分野】
【０００１】
本発明は、家具枠体に固定される枠体レール及び引出しに固定される、特に金属製の引出しレール、およびこの引出しレールに対して引出しの高さ位置を調節するための調節装置を備えた引出し用の引き出しガイドに関する。
【背景技術】
【０００２】
この調節装置は、引出しの高さ位置の調節のためにガイド経路に沿って限定的に可動に取り付けられた移動部分を有しており、このガイド経路は、引出しレールの肢部内の開口部の形態であり、使用位置において引出しレールの垂直肢部内の凹部として形成されている。
【０００３】
本発明は、以下において解説するような引出し用の引き出しガイドを少なくとも１つ有する家具にも関する。引出しは、その引出し用の引き出しガイドによって家具枠体に対して延出可能に取り付けられている。
【０００４】
引出し用の引き出しガイドの延出可能な引出しレールに対して引出しの高さ位置を調節するための調節装置は既に知られており、家具枠体および隣接する引出しの前方パネルに対して取り付け位置で引出しの前方パネルの位置を調節するよう高さ方向に作用する（例えば特許文献１）。
【０００５】
特許文献２は、調節装置を開示しており、引出しの前方領域は、人力で作動される移動部分によって上下する。この目的のため、移動部分は、傾斜ガイドスロットを有しており、これによって移動部分は、引出しレールの傾斜状に延出したプレート形状要素に対して移動可能である。この構造で、そのプレート形状のガイド要素は、固定プレートによって引出しレールに鋲留めまたは折り曲げ留めされるが、したがって部材や追加の仕上げステップの費用が増加する。
【０００６】
特許文献３は、上述した特徴を備えた高さ調節装置について解説しており、スライダは、偏心部材の作動によって高さ方向に垂直延出ガイドスロットに沿って可動である。
【先行技術文献】
【特許文献】
【０００７】
【特許文献１】西独国実用新案出願公開第２０２００９００３８８６Ｕ１号明細書
【特許文献２】西独特許第４４１４４６２Ｂ４号明細書
【特許文献３】西独国実用新案第２０２０９５１７Ｕ１号明細書
【発明の概要】
【発明が解決しようとする課題】
【０００８】
垂直延出スロットが存在するため、偏心部材は、引出しの全重量を支えなければならず、引出しの荷重による偏心部材の意図しない移動を防止するため、偏心部材は、高度な自己ロック機能を有する必要がある。偏心部材のためのこの高度な自己ロック作用は、調節を困難にする。垂直延出スロットが存在するため、スライダの移動経路が極めて制限されているという欠点も存在する。
【０００９】
したがって本発明の目的は、改良された調節装置を有する、前述の一般的な引出しガイドの提案である。
【課題を解決するための手段】
【００１０】
本発明によれば、これは請求項１の特徴によって達成できる。本発明の別な有利な実施形態は、従属請求項において述べられている。
【００１１】
したがって、本発明によれば、ガイド経路は、水平に対して傾斜状に延出する。
【００１２】
一実施態様では、この傾斜ガイド経路は、水平に対して、３°から３０°の間の角度であり、好適には８°から１５°の間である。
【００１３】
このように、引出しの荷重の大部分は、ガイド経路自体によって支持され、移動部分とガイド経路との間の不都合な相対的移動を防止するため、低レベルの力のみが防止されればよく、さらにその力の一部は、移動部分とガイド経路との間の摩擦によって発生する。よって、この移動部分は、容易に調節可能であり、荷重下での移動部分の不都合な下方移動のリスクが実質的に排除される。さらに、移動経路は、垂直延出ガイド経路の場合と比較して、傾斜延出経路によっても増加する。
【００１４】
移動部分のガイド経路は、引出しレールのレール材に直接的に設けられた開口部分である。この場合には、ガイド経路は、構造的に単純な方法で引出しレールに打ち抜きされるか、または削り出しされる。これによって追加の部材を必要とすることなく、問題なく製造できる。
【００１５】
レール材に形成されているガイド経路が存在するため、ガイド経路は安定しており、追加の手段によって装着される必要はない。よって、ガイド経路のその他の破損のリスクは、実質的に排除される。
【００１６】
その前方端領域において引出しを調節可能のために上下させるため、ガイド経路は、引出しレールの前方端領域に提供される。引出しの後方端領域を持ち上げ、下降させるため、ガイド経路を引出しレールの後方端領域に配置することもできる。
【００１７】
引出しの高さ位置を容易に調節するため、移動部分を、引出しレールに対して２以上の所定のラッチ位置にて解放可能に拘束することができる。本発明の応用例では、ラッチ位置を固定するために提供されたラッチ手段をガイド経路から離して引出しレールに形成できる。よってラッチ手段も、引出しレールの材料に開口形状に形成できる。
【００１８】
この場合、ラッチ位置を固定するためのラッチ手段を引出しレールの肢部に提供でき、この肢部は、使用の位置および/または使用の位置にて水平に延出する引出しレールの肢部上で垂直に延出する。ラッチ手段を垂直延出肢部に配置し、さらに引出しレールの水平延出肢部に配置することで、移動部分は、移動するとき、引出しレールに対して傾くことなくガイドされるという利点を有する。ラッチ手段は、引出しレールへの刻み加工、エンボス加工および/または突出部形成によって形成できる。
【００１９】
本発明による家具は、このような引出し用の引出しガイドを少なくとも１つ有する。
【００２０】
本発明のさらなる詳細および利点は、以降の詳細な説明から明らかになるであろう。
【図面の簡単な説明】
【００２１】
【図１】図１は、引出し用の引き出しガイドによって家具枠体に対して移動可能に取り付けられた引出しを備えた家具の斜視図である。
【図２】図２は、引出し用の引き出しガイドの一実施例の斜視図である。
【図３ａ】図３ａは、下降した移動部分を備えた引出し用の引き出しガイドの斜視図である。
【図３ｂ】図３ｂは、上昇した移動部分を備えた引出し用の引き出しガイドの斜視図である。
【図４ａ】図４ａは、下降位置にある移動部分を備えた引出しレールの前方端の図である。
【図４ｂ】図４ｂは、上昇位置にある移動部分を備えた引出しレールの前方端の図である。
【図４ｃ】図４ｃは、上昇位置にある移動部分を備えた引出しレールの前方端の図である。
【図５ａ】図５ａは、引出しレールの前方端の図である。
【図５ｂ】図５ｂは、引出しレールの前方端の図である。
【図５ｃ】図５ｃは、引出しレールの移動部分の図である。
【図５ｄ】図５ｄは、引出しレールの移動部分の図である。
【発明を実施するための形態】
【００２２】
図１は、家具１の斜視図であり、引出し３は、引出し用の引き出しガイド４によって家具枠体２に対して引き出しできるように取り付けられている。図示の実施例では、引出し用の引き出しガイド４は、家具枠体２に装着される枠体レール５、枠体レールに対して移動可能な中央レール６、および引出し３に接続されているか、またはそれ自体は知られている連結装置によって引出しに解放可能に取り付けられる延出可能な引出しレール７を含んだ３部分レールシステムの形態である。引出し３は、引出し底部８、引出し側壁９および後壁１０を含んでいる。
【００２３】
図２は、引出し用の引き出しガイド４の斜視図である。枠体レール５は、家具枠体２の垂直側壁の内側に静止的に装着されており、引出し３は、図示の連結装置１１によって延出可能な引出しレール７に接続される。この構造では、連結装置１１は、引出し底部８（図１）の下側に横方向に予め装着され、引出し底部８および/または引出し前方パネルにネジ留めされている。引出し３を取り付けると、それは先ず、引出しレール７に配置された受け部１５が引出し３の移動軌道を制限するまで引出しレール７に押し付けられる。受け部１５は、それ自体は知られているように、引出しレール７の後方端領域に配置されており、好適には高さが調節可能に設計されている。受け部１５は、引出し３を取り付けると、受け部１５が引出し後壁１０の穴内へと挿入されるよう、引出しレール７の水平延出肢部７ａに対して平行に間隔を開けて延出しており、引出しレール７の延出方向（Ａ）に延出している。したがって、引出しレール７の後端に取り付けられた受け部１５は、その後端領域にて引出し３を固定し、引出し３の前端領域は、図示の連結装置１１によって引出しレール７の前方端に解放可能に連結される。連結装置１１は、引出しレール７の開口部の幅広部分１８ａへとラッチ留めできる、好適には弾性のラッチ部分１２を少なくとも１つ含んでいる。連結装置１１は、解放レバー１４をさらに含んでおり、この場合、例えば掃除の目的などで、引出しレール７から引出し３を完全に取り外せるよう、解放レバー１４に人力で圧力を適用することでラッチ部分１２を引出しレール７に対してロック解除できる。
【００２４】
符号１６は、それによって引出し３の前端領域の高さが調節できる調節手段を示している。調節手段１６は、人力で作動される移動部分１９を含んでおり、それに支持部分１７が接続されており、移動部分１９は、引出しレール７の傾斜延出する経路１８に沿って移動できるように取り付けられている。この場合、ガイド経路１８は、引出しレール７のレール材に直接的に打ち抜きされるか、または削り出しされる。支持部分１７の上側は、支持部分１７の高さ方向移動によって、引出し３が前方パネルの前方領域で上下するよう、引出し３の高さ位置を固定させるため、引出し底部８（図１）の下側に接している。
【００２５】
図３ａは、図２の引出し用の引き出しガイド４の斜視図であり、連結装置１１は、明示のために省略されている。引出し３の高さ位置を調節するための調節装置１６が示されており、高さ調節のため、移動部分１９は、引出しレール７の前端側に向かって降下するガイド経路１８に沿って移動制限式に取り付けられている。一端でガイド経路１８は、引出しレール７の側方から、引出しレール７に取り付けるために移動部分１９が挿入される幅広部分１８ａを有している。この構造の場合は特に、引出し３と引出しレール７との間で解放可能な連結状態を提供するよう、連結装置１１のラッチ部分１２（図２）もガイド経路１８の幅広部分１８ａへとラッチ式に係合される。移動部分１９は、図３ａでは、最下端位置にあり、支持部分１７の上側は、引出しレール７の水平肢部７ａに対してほぼ面一に延出しており、よって支持部分１７に装着された引出しは、引出しレール７に対して最下位置にある。
【００２６】
対照的に図３ｂは、支持部分１７の上昇端位置を示しており、引出し３も最大に持ち上げられた位置にある。支持部分１７は、引出しレール７の水平延出肢部７ａの開口部２１内に少なくとも部分的に配置されており、移動部分１９の高さを調節するとき開口部を通過する。移動の目的のため、移動部分１９は、人力で作動され、図示の実施例では２部分構造である把持部分２０を有している。第１の把持部分２０ａは、第１の移動方向での移動部分１９の移動のために提供されており、第２の把持部分２０ｂは、第１の移動の方向とは反対である第２の移動方向でラッチ位置から移動部分１９を解放するように設計されている。換言すれば、支持部分１７は、第１の把持部分２０ａに、延出方向（Ａ）とは反対方向に、人力で圧力を適用することで持ち上げられ、第２の把持部分２０ｂへ延出方向（Ａ）に人力で引っ張り力を適用することで、ラッチ効果が解除され、支持部分１７を引出し７に対して下方位置へと移動できる。
【００２７】
図４ａは、引出しレール７の前端領域の斜視図であり、そこには、取り付け位置に引出し３の高さ位置を調節するための調節装置１６が配置されている。引出しレール７は、水平延出肢部７ａと垂直延出肢部７ｂとを備えたＣ形状断面を備える。図示の実施例では、傾斜ガイド経路１８は、水平延出肢部７ｂのレール材に設けられた開口部の形態である。引出し３を支持するための支持部分１７は図４では下方位置にある。
【００２８】
図４ｂは、引出しレール７の部分切欠側面図である。この図は、第２把持部分２０ｂに接続されており、ガイド経路１８から離れて形成されている様々な所定のラッチ手段２３にて解放可能にラッチ式に係合できるラッチ部分２２を示している。略楔型の断面形状の支持部分１７も図示されている。支持部分１７の下側は、引出しレール７の傾斜した下方延出部分２４に沿ってスライドするように支持される。支持部分１７の下側には、延出方向（Ａ）に対して横断方向に延出し、複数の所定のラッチ位置にて引出しレール７の傾斜部分２４上の横断延出ラッチ手段２５に解放可能にラッチ留めできるリブ（肋状部：ここでは図示せず）が提供されている。移動部分１９は、ラッチ部分２２とラッチ手段２３とのラッチ係合、および支持部分１７のリブと傾斜部分２４のラッチ手段２５との追加ラッチ留めによって、引出しレール７に対して移動するとほぼ傾斜のない状態で移動できる。
【００２９】
図４ｃは、引出しレール７の水平延出肢部７ａに対する支持部分１７の上昇部分を示しており、支持部分１７は、延出方向（Ａ）とは反対方向に、第１把持部分２０ａに人力で圧力を適用することで、上昇位置に移動できる。ラッチ部分２２は、ラッチ部分２２が上昇部分へ移動すると、引出しレール７のラッチ手段２３と自動的にラッチ係合できるよう、弾性的に取り付けられている。第２把持部分２０ｂに引っ張り力を延出方向（Ａ）に人力で適用することで、一方、弾性ラッチ部分２２は、支持部分１７が下方位置に再び下降できるよう、ラッチ手段２３から持ち上げられる。
【００３０】
図５ａは、引出しレール７の前方端領域の斜視図である。ガイド経路１８と、そこから分離しており、それぞれが引出しレール７の垂直延出肢部７ｂ内の開口部の形態であるラッチ手段とが図示されている。支持部分１７をスライド式にガイドするための傾斜部分２４は、延出方向（Ａ）に間隔を開けて提供されており、支持部分１７の対応するリブ２６（図５ｃ）と協調するラッチ手段２５を有している。ガイド経路１８は、移動部分１９の支持部分１７がその取り付けのために導入され、連結装置１１のラッチ部分１２がラッチ留め可能な拡大部分１８ａに連結状態で開いている（図２）。
【００３１】
図５ｂは、引出しレール７の前端領域の側面図である。ガイド経路１８と、ラッチ手段２３によって提供されるのこぎり刃形状経路は、互いに略平行関係で延出している。
【００３２】
図５ｃは、移動部分１９を下方から見た斜視図である。移動部分１９は、プラスチック製で、全体が一体型に射出成型されている。この図は、支持部分１７の下側に提供されており、取り付け位置では傾斜部分２４のラッチ手段２５（図５ａ）と協調するリブ２６を図示している。ラッチ部分２２は、第２把持部分２０ｂに形成されており、剛性の把持部分２０ａに向かう方向にフレキシブルな把持部分２０ｂを人力で引っ張ることで、ラッチ部分２２が引出しレール７のラッチ手段２３から持ち上げられ、よってラッチ係合が解除される。図５ｃ（注：図５ｄの間違い）は、移動部分１９を下方から見た別な斜視図であり、剛性の把持部分２０ａと、フレキシブルな把持部分２０ｂおよびラッチ部分２２が示されている。
【００３３】
本発明は、解説した実施例のみに関連するものではなく、添付の「請求の範囲」内の全ての変形例および技術的均等物にも及ぶ。説明で言及した上、下、横などの位置的関係は直接解説した図面に関連するものであって、これらは適宜新しい位置に変更すべきものである。ガイド経路１８および/または解放可能な拘束のためにラッチ手段２３が配置される経路は、少なくとも部分的に直線形状および/または少なくとも部分的に曲線形状でよい。
【図１】
0006050314.tif 000002
【図２】
0006050314.tif 000003
【図３ａ】
0006050314.tif 000004
【図３ｂ】
0006050314.tif 000005
【図４ａ】
0006050314.tif 000006
【図４ｂ】
0006050314.tif 000007
【図４ｃ】
0006050314.tif 000008
【図５ａ】
0006050314.tif 000009
【図５ｂ】
0006050314.tif 000010
【図５ｃ】
0006050314.tif 000011
【図５ｄ】
0006050314.tif 000012